(57)【要約】【課題】  交換機の負荷の上昇を抑制しつつ、送信するページング信号の送信量を減らすことができる交換機、通信システム、通信方法及びプログラムを提供する。【解決手段】  本発明の交換機は、通信端末が送信した所定の信号を、複数の基地局のうちの１つを介して受信する通信部と、前記通信端末に着呼する場合に、前記複数の基地局のうち前記所定の信号に対応する特定の基地局に対して、前記通信端末宛のページング信号の送信を要求する制御部と、を備えることを特徴とする。【選択図】      図２
2015159476.tif 000002
【特許請求の範囲】
【請求項１】
通信端末が送信した所定の信号を、複数の基地局のうちの１つを介して受信する通信部と、
前記通信端末に着呼する場合に、前記複数の基地局のうち前記所定の信号に対応する特定の基地局に対して、前記通信端末宛のページング信号の送信を要求する制御部と、
を備えることを特徴とする交換機。
【請求項２】
前記所定の信号に対応する特定の基地局は、前記複数の基地局のうち前記所定の信号を転送してきた基地局であることを特徴とする請求項１に記載の交換機。
【請求項３】
前記通信端末を一意に識別する通信端末識別子と、前記特定の基地局の基地局識別子とを対応付けて記憶する記憶部を、さらに備え、
前記制御部は、前記記憶部を参照して、前記特定の基地局に対して、前記通信端末宛のページング信号の送信を要求することを特徴とする請求項１又は２に記載の交換機。
【請求項４】
前記制御部は、前記所定の信号を転送してきた前記特定の基地局が変わるごとに、前記基地局識別子を更新することを特徴とする請求項３に記載の交換機。
【請求項５】
前記制御部は、前記所定の信号を前記特定の基地局が連続して転送してきた回数が所定の閾値以上である場合に、前記特定の基地局に対して、前記通信端末宛のページング信号の送信を要求することを特徴とする請求項１乃至４のいずれかに記載の交換機。
【請求項６】
前記通信端末を一意に識別する通信端末識別子と、前記所定の信号を受信したポートのポート番号とを対応付けて記憶する記憶部を、さらに備え、
前記制御部は、前記記憶部を参照して、前記ポート番号のポートから、前記通信端末宛のページング信号の送信を要求するための信号を転送することを特徴とする請求項１に記載の交換機。
【請求項７】
前記制御部は、前記特定の基地局に対して、前記通信端末宛のページング信号を送信するセルを指定して、前記ページング信号の送信を要求することを特徴とする請求項１乃至６に記載の交換機。
【請求項８】
前記所定の信号は、通信端末が前記特定の基地局から前記ページング信号を受信することを要求するための信号であり、
前記所定の信号に対応する特定の基地局は、前記複数の基地局のうち前記通信端末が前記ページング信号を受信することを要求した前記特定の基地局である
ことを特徴とする請求項１に記載の交換機。
【請求項９】
通信端末が送信する所定の信号を転送する複数の基地局と、
前記１乃至８のいずれかに記載の交換機と、を含み、
前記複数の基地局のうちの前記特定の基地局は、前記交換機からの要求に応じて、前記通信端末に前記ページング信号を送信することを特徴とする通信システム。
【請求項１０】
通信端末が送信した所定の信号を、複数の基地局のうちの１つを介して受信し、
前記通信端末に着呼する場合に、前記複数の基地局のうち前記所定の信号に対応する特定の基地局に対して、前記通信端末宛のページング信号の送信を要求する
ことを特徴とする通信方法。
【発明の詳細な説明】
【技術分野】
【０００１】
本発明は、交換機、通信システム、通信方法及びプログラムに関する。
【背景技術】
【０００２】
通信システムにおいて、交換機は、通信端末に対する着信を実現する場合、通信端末を呼び出すためのページング処理を行う。
【０００３】
特許文献１には、位置管理サーバが移動機から通知された現在位置を記憶し、交換機は、当該位置管理サーバに記憶された当該現在位置に対応するセルを管理する１つの基地局に、当該移動局宛のページング信号を送信する技術が開示されている。特許文献１に記載の交換機は、移動機から通知された現在位置に対応するセルを管理する１つの基地局にページング信号を送ることにより、ページング信号の送信量を抑制している。
【先行技術文献】
【特許文献】
【０００４】
【特許文献１】特開２０１０−２４６０１４号公報
【発明の概要】
【発明が解決しようとする課題】
【０００５】
上記のとおり、特許文献１の交換機は、移動機から通知される現在位置に基づいて、当該移動機宛のページング信号を送信する基地局を特定している。したがって、特許文献１に記載の技術では、交換機が移動機の現在位置を管理しなければならない。そのため、当該交換機は、例えば移動機が頻繁に移動する場合には、それに伴って当該移動機の現在位置を頻繁に更新する必要があり、交換機の負荷を上昇させてしまう。
【０００６】
そこで、本発明の目的は、上記の問題を解決し、交換機の負荷の上昇を抑制しつつ、送信するページング信号の送信量を減らすことができる交換機、通信システム、通信方法及びプログラムを提供することである。
【課題を解決するための手段】
【０００７】
本発明の交換機は、通信端末が送信した所定の信号を、複数の基地局のうちの１つを介して受信する通信部と、前記通信端末に着呼する場合に、前記複数の基地局のうち前記所定の信号に対応する特定の基地局に対して、前記通信端末宛のページング信号の送信を要求する制御部と、を備えることを特徴とする。
【０００８】
本発明の通信システムは、通信端末が送信する所定の信号を転送する複数の基地局と、通信端末が送信した所定の信号を、複数の基地局のうちの１つを介して受信する通信部と、前記通信端末に着呼する場合に、前記複数の基地局のうち前記所定の信号に対応する特定の基地局に対して、前記通信端末宛のページング信号の送信を要求する制御部と、を備える交換機と、を含み、前記複数の基地局のうちの前記特定の基地局は、前記交換機からの要求に応じて、前記通信端末に前記ページング信号を送信することを特徴とする。
【０００９】
本発明の通信方法は、通信端末が送信した所定の信号を、複数の基地局のうちの１つを介して受信し、前記通信端末に着呼する場合に、前記複数の基地局のうち前記所定の信号に対応する特定の基地局に対して、前記通信端末宛のページング信号の送信を要求する
ことを特徴とする。
【００１０】
本発明のプログラムは、通信端末が送信した所定の信号を、複数の基地局のうちの１つを介して受信する処理と、前記通信端末に着呼する場合に、前記複数の基地局のうち前記所定の信号に対応する特定の基地局に対して、前記通信端末宛のページング信号の送信を要求する処理とをコンピュータに実行させることを特徴とする。
【発明の効果】
【００１１】
本発明の交換機等は、交換機の負荷の上昇を抑制しつつ、送信するページング信号の送信量を減らすことができるという効果がある。
【図面の簡単な説明】
【００１２】
【図１】本発明の第１の実施形態における、通信システムの構成例を示す図である。
【図２】本発明の第１の実施形態における、交換機１の構成例を示す図である。
【図３】本発明の第１の実施形態における、交換機１の動作例を示すフローチャートである。
【図４】本発明の第２の実施形態における、通信システムの構成例を示す図である。
【図５】本発明の第２の実施形態における、交換機１の構成例を示す図である。
【図６】本発明の第２の実施形態における、ページング通知管理情報の構成例を示す図である。
【図７】本発明の第２の実施形態における、交換機１の動作例を示すフローチャートである。
【図８】本発明の第３の実施形態における、通信システムの構成例を示す図である。
【図９】本発明の第３の実施形態における、ページング通知管理情報の構成例を示す図である。
【図１０】本発明の第３の実施形態における、交換機１が、ページング通知管理ＤＢを更新する場合の動作例を示すフローチャートである。
【図１１】本発明の第３の実施形態における、交換機１が、通信端末３に着呼する場合の動作例を示すフローチャートである。
【図１２】本発明の第４の実施形態における、ページング通知管理情報の構成例を示す図である。
【図１３】本発明の第５の実施形態における、通信システムの構成例を示す図である。
【図１４】本発明の第５の実施形態における、通信システムの動作例を示すシーケンス図である。
【図１５】本発明の第６の実施形態における、ページング通知管理情報の構成例を示す図である。
【発明を実施するための形態】
【００１３】
＜第１の実施形態＞
本発明の第１の実施形態について、図面を参照して説明する。なお、この概要に付記した図面参照符号は、理解を助けるための一例として各要素に便宜上付記したものであり、この概要の記載はなんらの限定を意図するものではない。
【００１４】
本発明の第１の実施形態では、交換機が、複数の基地局のうち、通信端末からの所定の信号を転送してきた基地局に対して、当該通信端末宛のページング信号の送信を要求するものである。すなわち、当該交換機は、どの基地局から所定の信号が転送されてきたかを判定し、判定した当該基地局にページング信号の送信を要求する。したがって、当該交換機は、通信端末の位置を管理する必要がなく、例えば所定の信号が転送されてきたポート（所定の信号を転送してきた基地局と接続している自装置のポート）のポート番号等を管理するだけよい。
【００１５】
図１に示すように、本発明の第１の実施形態における通信システムは、交換機１と、複数の基地局２−１乃至２−Ｎ（特に区別する必要がない場合には、「基地局２」と記載する）と、通信端末３とを含む。
【００１６】
通信端末３は、複数の基地局２のうちの１つを介して所定の信号を送信する。所定の信号は、例えば、通信端末３が、自装置の現在位置を基地局２及び交換機１に通知するための位置登録信号である。
【００１７】
また、所定の信号は、例えば、交換機１が基地局を介して当該通信端末３に送信したページング信号に対する応答信号（ページング応答信号）である。この場合において、交換機１は、最初はページング信号の送信要求を複数の基地局に行うが、例えば２回目以降のページング信号は、所定の基地局（最初のページング信号に対する応答信号を転送してきた基地局）だけに、ページング信号の送信要求を行う。したがって、交換機は、２回目以降のページング信号について、所定の基地局だけにページング信号を送信すればよくなり、送信するページング信号の送信量を減らすことができる。なお、所定の信号はこれらの例に限られず、通信端末３が、複数の基地局２の１つを介して送信する信号であれば、どのような信号であってもよい。交換機１は、通信端末３から転送されてきた所定の信号がいずれの基地局２から転送されてきたか（いずれのポートで受信したか）を把握すればよいので、所定の信号は、通信端末３が基地局２を介して交換機１に転送する信号であればどのような信号であってもよい。
【００１８】
複数の基地局２の各々は、通信端末３の通信を中継する。複数の基地局２の各々は、通信端末３が送信した当該所定の信号を、交換機１に転送する。
【００１９】
交換機１は、複数の基地局２のうち当該所定の信号を転送してきた基地局２に対して、通信端末宛のページング信号の送信を要求する。通信端末３からの所定の信号を送信してきた基地局２は、当該通信端末３と接続している基地局２であり、当該通信端末３が在圏するセルを管理している。したがって、交換機１は、当該所定の信号を転送してきた基地局２に対して通信端末３宛のページング信号の送信を要求すれば、当該通信端末３に当該ページング信号を送信することが可能となる。
【００２０】
図２は、本発明の第１の実施形態における、交換機１の構成例を示す図である。図２に示すように、交換機１は、通信部１１と、制御部１２とを備える。
【００２１】
通信部１１は、通信端末３が送信した所定の信号を、複数の基地局２のうちの１つを介して受信する。
【００２２】
制御部１２は、複数の基地局２のうち当該所定の信号を転送してきた基地局２に対して、当該通信端末３宛のページング信号の送信を要求する。制御部１２は、当該所定の信号を転送してきた基地局２に対して、通信部１１を介して当該要求を通知する。
【００２３】
図３は、本発明の第１の実施形態における、交換機１の動作例を示すフローチャートである。
【００２４】
通信部１１が、通信端末３が送信した所定の信号を、複数の基地局２のうちの１つを介して受信する（Ｓ１０１）。
【００２５】
制御部１２が、通信端末３への着呼があったことに応じて、複数の基地局２のうち当該前記所定の信号を転送してきた基地局２に対して、当該通信端末３宛のページング信号の送信を要求する（Ｓ１０２）。
【００２６】
上記のとおり、本発明の第１の実施形態では、交換機１が、複数の基地局２のうち、通信端末３からの所定の信号を転送してきた基地局２に対して、当該通信端末３宛のページング信号の送信を要求する。すなわち、当該交換機１は、どの基地局２から当該所定の信号を受信したかを判定し、判定した基地局にページング信号の送信を要求する。通信端末３からの所定の信号を送信してきた基地局２は、当該通信端末３と接続している基地局２である。したがって、交換機１は、判定した基地局にページング信号の送信を要求するだけで、通信端末３が位置（在圏）する１つの基地局２にページング信号の送信を要求できる。そのため、交換機１は、通信端末３の現在位置を管理することなく、送信するページング信号の送信量を減らすことができる。
【００２７】
＜第２の実施形態＞
本発明の第２の実施形態について、図面を参照して説明する。
【００２８】
図４に示すように、本発明の第２の実施形態における通信システムは、交換機１と、複数の基地局２−１乃至２−８と、通信端末３と、ゲートウェイ装置４を含む。なお、図４の例では、基地局２の数は８つであるが、基地局２の数は８つに限られず、いくつであってもよい。
【００２９】
ゲートウェイ装置４は、交換機１の上位に配置され、当該交換機１と、外部ネットワークとを中継する。
【００３０】
図５は、本発明の第２の実施形態における、交換機１の構成例を示す図である。図５に示すように、交換機１は、ページング通知管理データベース（ＤＢ）１３を備える。
【００３１】
ページング通知管理ＤＢ１３は、通信端末３が送信した所定の信号を転送してきた基地局２に関する情報（ページング通知管理情報）を記憶する記憶部である。
【００３２】
図６は、ページング通知管理情報の構成例を示す図である。図６に示すように、ページング通知管理情報は、通信端末３を一意に識別する通信端末識別子と、基地局２を一意に識別する基地局識別子と、を対応付けて記憶する。通信端末識別子は、例えば、通信端末３のＩＰ（Ｉｎｔｅｒｎｅｔ  Ｐｒｏｔｏｃｏｌ）アドレスやＭＡＣ（Ｍｅｄｉａ  Ａｃｃｅｓｓ  Ｃｏｎｔｒｏｌ）アドレスである。また、基地局識別子は、例えば、基地局２のＩＰアドレスやＭＡＣアドレスである。なお、ページング通知管理情報は、基地局識別子の代わりに、当該基地局２と接続するポートのポート番号を記憶してもよい。
【００３３】
制御部１２は、基地局２から通信端末３が送信した所定の信号を受け取った場合、所定の信号に含まれる情報から、当該所定の信号を送信した通信端末３を特定する。また、交換機１は、当該所定の信号を受信したポートや、当該所定の信号に含まれる情報から、当該所定の信号を転送してきた基地局２を特定する。所定の信号に含まれる情報は、例えば、通信端末３及び／又は基地局２のＩＰ）アドレスやＭＡＣアドレスである。なお、交換機１は、所定の信号を転送してきた基地局２を特定する代わりに、当該所定の信号を受信したポートを特定してもよい。
【００３４】
制御部１２は、ページング通知管理ＤＢ１３に、特定した通信端末３の通信端末識別子と、特定した基地局２の基地局識別子（又は、当該特定した基地局に接続する自装置（交換機１）のポート番号）とを対応付けて記憶する。図６の例では、通信端末３の通信端末識別子「１９２．１６８．１．×××」と、基地局２−３の基地局識別子「１９２．１６８．２．×××」とが対応付けて記憶されている。
【００３５】
なお、通信端末識別子は、例えば通信端末３のアドレスであり、基地局識別子は、例えば基地局２のアドレスである。なお、通信端末識別子及び基地局識別子は、通信端末３及び基地局２のアドレスに限られず、通信端末３及び基地局２を一意に識別できる情報であれば、どのような情報であってもよい。通信端末識別子は、例えば、通信端末３を一意に識別可能な、当該通信端末３に割り当てられている端末識別番号であってもよい。同様に、基地局識別子は、例えば、基地局２を一意に識別可能な、当該基地局２に割り当てられている基地局番号であってもよい。
【００３６】
制御部１２は、ページング通知管理ＤＢ１３に記憶されている基地局２以外の基地局２（あるいは、記憶されているポート以外のポート）から、通信端末３からの所定の信号を受信した場合には、当該ページング通知管理ＤＢの情報を更新する。制御部１２は、通信端末３の通信端末識別子と、新たな基地局２の基地局識別子（又は、新たなポートのポート番号）とを、対応付けて記憶する。
【００３７】
制御部１２は、通信端末３への着呼があったことに応じて、ページング通知管理ＤＢを参照して、複数の基地局２のうち当該所定の信号を転送してきた基地局２に対して、当該通信端末３宛のページング信号の送信を要求する。または、制御部１２は、通信端末３への着呼があったことに応じて、ページング通知管理ＤＢを参照して、複数のポートのうち、所定の信号を受信したポートから、当該通信端末３宛のページング信号の送信を要求するための信号を送信する。図４の例では、制御部１２は、通信端末３からの所定の信号を転送してきた基地局２−３に対して、当該通信端末３宛のページング信号の送信を要求する。
【００３８】
図７は、本発明の第２の実施形態における、交換機１の動作例を示すフローチャートである。
【００３９】
通信部１１が、通信端末３が送信した所定の信号を、複数の基地局２のうちの１つを介して受信する（Ｓ２０１）。
【００４０】
制御部１２が、基地局２から通信端末３が送信した所定の信号を受け取ったことに応じて、当該所定の信号を送信した通信端末３と、当該所定の信号を転送してきた基地局２（又は、所定の信号を受信したポート）とを特定する（Ｓ２０２）。
【００４１】
制御部１２は、ページング通知管理ＤＢに、特定した通信端末３の通信端末識別子と、特定した基地局２の基地局識別子（又は、特定したポートのポート番号）とを対応付けて記憶する（Ｓ２０３）。
【００４２】
制御部１２は、通信端末３への着呼があった場合、ページング通知管理ＤＢを参照して、複数の基地局２のうち所定の信号を転送してきた基地局２（又は、所定の信号を受信したポート）に対し、当該通信端末３宛のページング信号の送信を要求する（Ｓ２０４）。
【００４３】
上記のとおり、本発明の第２の実施形態では、交換機１が、通信端末３が送信した所定の信号を転送してきた基地局２（又は、所定の信号を受信したポート）に関する情報を記憶するページング通知管理ＤＢを備える。そのため、当該交換機１は、当該ページング通知管理ＤＢを参照して、どの基地局２から当該所定の信号を受信したかを判定でき、判定した基地局にページング信号の送信を要求できる。そのため、交換機１は、通信端末３の現在位置を管理することなく、送信するページング信号の送信量を減らすことができる。
【００４４】
＜第３の実施形態＞
本発明の第３の実施形態について、図面を参照して説明する。
【００４５】
図８に示すように、本発明の第３の実施形態における通信システムにおいて、複数の基地局２は、位置登録グループに収容される。図８に示すように、複数の基地局２の各々は、例えば、位置登録グループＡと、位置登録グループＢとのどちらかに収容される。なお、位置登録グループの数は、２つに限られず、いくつであってもよい。
【００４６】
本発明の第３の実施形態における交換機１の構成例は、図５に示す、本発明の第２の実施形態における交換機１の構成例と同様である。
【００４７】
本発明の第３の実施形態において、制御部１２は、通信端末３からの所定の信号を、特定の基地局２が連続して転送してきた回数（又は、特定のポートで所定の信号を受信した回数）をカウントする。特定の基地局２が通信端末３からの所定の信号を連続して転送してきた場合、当該特定の基地局２の管理するセル内に、当該通信端末３が固定的に位置している（設置されている）可能性が高い。したがって、交換機１は、当該特定の基地局２だけに、通信端末３宛のページング信号の送信要求を行うことにより、送信するページング信号の送信量を減らすことができる。一方で、特定の基地局２が通信端末３からの所定の信号を連続して転送してこなければ、当該通信端末３は、複数の基地局２の間を移動している可能性が高い。そのような場合に、交換機１が、特定の基地局２だけに当該通信端末３宛のページング信号の送信要求を行ってしまうと、通信端末３がページング信号を受け取ることができなくなる場合が生じる。その場合、交換機１は、改めて、複数の基地局２に対して、ページング信号の送信要求を行う必要があるため、交換機１の負荷が上昇してしまう。そこで、交換機１は、所定の信号を特定の基地局２が連続して転送してきた回数が所定の閾値以上である場合にだけ、ページング信号の送信要求を当該特定の基地局２だけに行うようにして、通信端末３がページング信号を受信する確率を上昇させる。
【００４８】
制御部１２は、カウントした当該回数を、ページング通知管理ＤＢ１３に記憶する。制御部１２は、通信端末３からの所定の信号を、ページング通知管理ＤＢ１３に記憶した基地局２以外の基地局２（記憶したポート以外のポート）が転送してきた場合には、カウントした当該回数をリセットし、当該新たな基地局２が転送してきた回数のカウントを開始する。
【００４９】
なお、所定の信号は、例えば、交換機１が通信端末３に送信したページング信号に対する応答信号である。
【００５０】
制御部１２は、特定の基地局２が当該所定の信号を連続して転送してきた回数が、所定の閾値（連続回数に関する閾値）以上になったことに応じて、当該特定の基地局２（特定のポート）だけに当該通信端末３宛のページング信号の送信を要求する。所定の閾値は、特定の（同一の）基地局２が何回連続で通信端末３からの所定の信号を転送すれば、ページング信号の送信の要求を当該特定の基地局２（特定のポート）だけに変更するかを示す値である。
【００５１】
一方、制御部１２は、特定の基地局２が当該所定の信号を連続して転送してきた回数が、所定の閾値未満である場合は、当該特定の基地局２が属する位置登録グループに含まれる全ての基地局２に対して、当該通信端末３宛のページング信号の送信を要求する。
【００５２】
図９は、本発明の第３の実施形態における、交換機１が備えるページング通知管理ＤＢ１３に記憶されるページング通知管理情報の例を示す図である。
【００５３】
図９に示すように、ページング通知管理情報は、通信端末識別子と、基地局識別子と、基地局２が属する位置登録グループと、所定の信号を基地局２（ポート）が連続して転送してきた回数と、所定の閾値（連続回数に関する閾値）を対応付けて記憶する。図９の例では、通信端末３の通信端末識別子「１９２．１６８．１．×××」と、基地局２−３の基地局識別子「１９２．１６８．２．×××」と、位置登録グループ「Ｇｒｏｕｐ  Ａ」と、連続して転送してきた回数「３」と、所定の閾値「５」とが対応付けて記憶されている。
【００５４】
図１０は、本発明の第３の実施形態における、交換機１が、ページング通知管理ＤＢを更新する場合の動作例を示すフローチャートである。なお、図１０の動作例は、所定の信号が、交換機１が通信端末３に送信したページング信号に対する応答信号（ページング信号応答）である場合の例である。
【００５５】
通信部１１が、通信端末３が送信した所定の信号を、複数の基地局２のうちの１つを介して受信する（Ｓ３０１）。
【００５６】
制御部１２は、ページング通知管理ＤＢ１３を参照して、当該所定の信号を転送してきた基地局２（又は、ポート）が、ページング通知管理ＤＢ１３に記憶されている基地局２（又は、ポート）と同一であるか否かを判定する（Ｓ３０２）。具体的には、制御部１２は、当該所定の信号を転送してきた基地局２の基地局識別子（又は、ポート番号）と、ページング通知管理情報に記憶されている基地局２の基地局識別子（又は、ポート番号）とが同一であるか否かを判定する。
【００５７】
制御部１２は、同一であると判定した場合（Ｓ３０２のＹＥＳ）、ページング通知管理情報の「連続して転送してきた回数」に「１」を加算した回数を記憶する（Ｓ３０３）。
【００５８】
一方、制御部１２は、同一でないと判定した場合（Ｓ３０２のＮＯ）、当該所定の信号を新たに転送してきた基地局２が属する位置登録グループが、ページング通知管理情報に記憶されている位置登録グループと同一であるか否かを判定する（Ｓ３０４）。
【００５９】
制御部１２は、同一であると判定した場合（Ｓ３０４のＹＥＳ）、ページング通知管理情報のうち、「基地局識別子（又は、ポート番号）」と「連続して転送してきた回数」とを更新する。具体的には、「基地局識別子（又は、ポート番号）」を新たな基地局２の基地局識別子（又は、ポート番号）に変更し、「連続して転送してきた回数」を「１」に変更する。
一方、制御部１２は、同一でないと判定した場合（Ｓ３０４のＮＯ）、ページング通知管理情報のうち、「基地局識別子（又は、ポート番号）」と「連続して転送してきた回数」とに加えて、「位置登録グループ」とを更新する。
【００６０】
図１１は、本発明の第３の実施形態における、交換機１が、通信端末３に着呼する場合の動作例を示すフローチャートである。
【００６１】
制御部１２は、通信端末３宛の着呼があることに応じて（Ｓ４０１）、ページング通知管理ＤＢ１３を参照して、当該基地局２が所定の信号を連続して転送してきた回数が、所定の閾値以上か否かを判定する（Ｓ４０２）。
【００６２】
制御部１２は、判定の結果、当該回数が所定の閾値以上である場合に（Ｓ４０２のＹＥＳ）、ページング通知管理ＤＢ１３を参照して、複数の基地局２のうち当該所定の信号を転送してきた基地局２に対し、当該通信端末３宛のページング信号の送信を要求する（Ｓ４０３）。なお、制御部１２は、自装置の複数のポートのうち、当該所定の信号を転送してきたポートから、当該通信端末３宛のページング信号の送信を要求してもよい。
【００６３】
一方、制御部１２は、判定の結果、当該回数が所定の閾値未満である場合に（Ｓ４０２のＮＯ）、ページング通知管理ＤＢ１３を参照して、当該基地局２が属する位置登録グループに含まれる全ての基地局２（又は、ポート）に、当該通信端末３宛のページング信号の送信を要求する（Ｓ４０４）。
【００６４】
上記の通り、本発明の第３の実施形態では、交換機１が、通信端末３からの所定の信号を基地局２が連続して転送してきた回数に基づいて、ページング信号を送信する要求を、複数の基地局２に行うか、特定の基地局２だけに行うかを判定する。また、交換１が、所定の信号を連続して転送してきた回数に基づいて、ページング信号を送信する要求を、全てのポートから送信するか、特定のポートから送信するかを判定する。したがって、本発明の第３の実施形態では、頻繁に移動する通信装置３に対しては、複数の基地局２にページング信号を送信する要求を行うことで、当該ページング信号を通信端末３に確実に通知できるようになる。一方で、本発明の第３の実施形態では、あまり移動しない通信装置３に対しては、特定の基地局２だけにページング信号を送信する要求を行うことで、送信するページング信号の送信量を減らすことができる。
【００６５】
＜第４の実施形態＞
本発明の第４の実施形態について、図面を参照して説明する。
【００６６】
本発明の第４の実施形態は、ページング通知管理情報が、通信端末３から所定の信号を受信したセルに関する情報を記憶するものである。
【００６７】
本発明の第４の実施形態の通信システムの構成例は、図８に示す本発明の第３の実施形態における通信システムの構成例と同様である。また、本発明の第４の実施形態における交換機１の構成例は、図５に示す、本発明の第２の実施形態における交換機１の構成例と同様である。
【００６８】
図１２は、本発明の第３の実施形態における、交換機１が備えるページング通知管理ＤＢ１３に記憶されるページング通知管理情報の例を示す図である。
【００６９】
図１２に示すように、ページング通知管理情報は、基地局２に関する情報として、基地局２の基地局識別子と、基地局２が属する位置登録グループの他に、通信端末３から所定の信号を受信したセルに関する情報を記憶する。当該セルに関する情報は、当該セルを一意に識別可能な情報であり、例えば基地局２の所定のセクタ番号である。図１２の例では、セルに関する情報として、「セクタ３（セル番号＝３）」が記憶されている。
【００７０】
基地局２は、通信端末３から所定の信号を受信したことに応じて、当該所定の信号に、当該所定の信号を受信したセルに関する情報を格納して、交換機１に転送する。なお、基地局２は、当該セルに関する情報を、例えば当該所定の信号のヘッダ部分に格納する。
【００７１】
交換機１は、通信端末３への着呼があったことに応じて、ページング通知管理ＤＢ１３を参照して、複数の基地局２のうち当該所定の信号を転送してきた基地局２に対し、送信するセルを指定して、当該通信端末３宛のページング信号の送信を要求する。交換機１は、基地局２に対して、通信端末３から所定の信号を受信したセルを指定して、当該通信端末３宛のページング信号を送信することを要求する。
【００７２】
上記のとおり、本発明の第４の実施形態では、交換機１が、基地局２に対して、通信端末３から所定の信号を受信したセルを指定して、当該通信端末３宛のページング信号の送信を要求する。そのため、基地局２が、所定の信号を受信したセルだけに当該通信端末３宛のページング信号を送信できるようになり、送信するページング信号の送信量を減らすことができる。
【００７３】
＜第５の実施形態＞
本発明の第５の実施形態について、図面を参照して説明する。
【００７４】
本発明の第５の実施形態は、交換機１の外部のサーバ（ページング通知管理サーバ）が、ページング通知管理情報を記憶するものである。
【００７５】
図１３に示すように、本発明の第５の実施形態における通信システムは、交換機１と、複数の基地局２−１乃至２−８と、通信端末３と、ゲートウェイ装置４と、ページング管理サーバ５とを含む。
【００７６】
ページング通知管理サーバ５は、上記の各実施形態において制御部１２が備えるページング通知管理ＤＢ１３と同様の情報（ページング通知管理情報）を記憶する。すなわち、ページング通知管理サーバ５は、通信端末識別子と、基地局識別子（又は、ポート番号）と、基地局２が属する位置登録グループと、通信端末３からの所定の信号を基地局２が連続して転送してきた回数と、所定の閾値（連続回数に関する閾値）を対応付けて記憶する。
【００７７】
ページング通知管理サーバ５は、交換機１からの要求に応じて、記憶するページング通知管理情報を交換機１に通知する。また、ページング通知管理サーバ５は、交換機１からページング通知管理情報の更新に関する情報を通知されたことに応じて、記憶するページング通知管理情報を更新する。なお、ページング通知管理情報の更新に関する情報は、例えば、通信装置３からの所定の信号を転送してきた新たな基地局の「基地局識別子」（又は、所定の信号を転送してきたポートのポート番号）や「位置登録グループ」である。また、当該更新に関する情報は、例えば、当該所定の信号を、特定の基地局２が「連続して転送してきた回数」である。
【００７８】
本発明の第５の実施形態における交換機１の構成例は、図２に示す本発明の第１の実施形態における交換機１の構成例と同様である。
【００７９】
交換機１は、通信端末３への着呼があったことに応じて、ページング通知管理サーバ５を参照して、複数の基地局２のうち当該所定の信号を転送してきた基地局２（又は、ポート番号）に対して、当該通信端末３宛のページング信号の送信を要求する。
【００８０】
図１４は、本発明の第５の実施形態における、通信システムの動作例を示すシーケンス図である。
【００８１】
通信端末３が、所定の信号を、複数の基地局２のうちの１つに（又は、複数のポートのうちの１つから）転送する（Ｓ５０１）。
【００８２】
通信端末３から所定の信号を受信した基地局２は、当該所定の信号を、交換機１に転送する（Ｓ５０２）。
【００８３】
交換機１は、当該所定の信号を通知してきた基地局２に基づいて、ページング通知管理サーバ５に対して、ページング通知管理情報の更新を要求する（Ｓ５０３）。
【００８４】
ページング通知管理サーバ５は、交換機１からページング通知管理情報の更新に関する情報を通知されたことに応じて、記憶するページング通知管理情報を更新する（Ｓ５０４）。
【００８５】
交換機１は、通信端末３への着呼があったことに応じて、ページング通知管理サーバ５を参照して（Ｓ５０５）、複数の基地局２のうち当該所定の信号を転送してきた基地局２又は複数の基地局２に対して、当該通信端末３宛のページング信号の送信を要求する（Ｓ５０６）。
【００８６】
ページング信号の送信を要求された基地局２は、通信端末３に対して、当該ページング信号を送信する（Ｓ５０７）。
【００８７】
上記のとおり、本発明の第５の実施形態において、交換機１の外部のサーバ（ページング通知管理サーバ）が、ページング通知管理情報を記憶する。したがって、交換機１がページング通知管理情報を管理する必要がなくなり、交換機１の負荷を減らすことが可能となる。
【００８８】
＜第６の実施形態＞
本発明の第６の実施形態について、図面を参照して説明する。
【００８９】
本発明の第６の実施形態は、通信端末３が特定の基地局２からページング信号を受信することを交換機１に要求し（所定の信号を送信し）、交換機１が要求（所定の信号）に対応する当該特定の基地局２に、通信端末３宛のページング信号の送信を要求するものである。
【００９０】
交換機１が、通信端末３宛のページング信号を、当該特定の基地局２だけに送信すれば、送信するページング信号の送信量を減らすことができる。そこで、交換機１は、通信端末３に対して、ページング信号を受信する基地局２を通知することを要求する。この場合、通信端末３は、例えば、交換機１からの要求に応じて、当該特定の基地局２からページング信号を受信することを交換機１に要求するための信号（所定の信号）を送信する。
【００９１】
なお、通信端末３は、例えば、所定の時間移動しなかったことに応じて、ページング信号を受信する基地局２を特定し、当該特定の基地局２からページング信号を受信することを要求してもよい。また、通信端末３は、特定の基地局２が管理するセルに移動することが予測され、当該特定の基地局２が把握できている場合に、当該移動後の特定の基地局２からージング信号を受信することを要求してもよい。
【００９２】
本発明の第４の実施形態の通信システムの構成例は、図８に示す本発明の第３の実施形態における通信システムの構成例と同様である。また、本発明の第４の実施形態における交換機１の構成例は、図５に示す、本発明の第２の実施形態における交換機１の構成例と同様である。
【００９３】
通信端末３は、ページング信号を受信する基地局２を指定するために、接続する基地局２に対して、特定の基地局２からページング信号を受信することを要求する。通信端末３は、基地局２からページング信号を受信することを要求する場合に、当該要求を行うための所定の信号（要求信号）を、交換機１に送信する。
【００９４】
通信端末３は、ページング信号を受信する基地局２を指定した後、新たな基地局２に移動した場合、当該新たな基地局２に対して、当該新たな基地局２からページング信号を受信することを要求する。なお、この場合において、通信端末３は、当該新たな基地局２の指定の前に、ページング信号を受信する基地局２の指定を解除することを要求してもよい。
【００９５】
交換機１は、通信端末３からページング信号を受信する基地局２を指定する要求を受けたことに応じて、ページング通知管理情報を登録又は更新する。
【００９６】
図１５は、交換機１は、通信端末３からページング信号を受信する基地局２を指定する要求を受けた場合の、ページング通知管理情報の構成例である。図１５に示すように、ページング通知管理情報は、通信端末３の通信端末識別子と、指定された基地局２の基地局識別子とを対応付けて記憶する。
【００９７】
交換機１は、通信端末３への着呼があったことに応じて、ページング通知管理ＤＢを参照して、指定された基地局だけに当該通信端末３宛のページング信号の送信を要求する。
【００９８】
上記のとおり、本発明の第６の実施形態において、通信端末３が特定の基地局２からページング信号を受信することを要求し、交換機１が当該要求に応じて、当該特定の基地局２に対して当該通信端末３宛のページング信号の送信を要求する。したがって、交換機１は、指定された基地局にページング信号の送信を要求するだけで、通信端末３が位置（在圏）する１つの基地局２だけに当該ページング信号の送信を実行させることができる。そのため、交換機１は、通信端末３の現在位置を管理することなく、送信するページング信号の送信量を減らすことができる。また、通信端末３がページング信号を受信する基地局２を指定しているところ、当該通信端末３からページング信号に対する応答がない場合には、意図しない通信端末３の移動（設置場所の変更）の発生や、通信端末３の故障などの可能性を検出することができる。
【００９９】
＜第７の実施形態＞
本発明の第７の実施形態について説明する。
【０１００】
第７の実施形態において、交換機１のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。
【０１０１】
本発明の第７の実施形態において、交換機１は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。交換機１が取得するプログラム、又は、該プログラムを記憶した記憶媒体は、本発明を構成することになる。なお、該ソフトウェア（プログラム）は、例えば、制御装置１又はコントローラ３に含まれる所定の記憶部に、予め記憶されていてもよい。
【０１０２】
交換機１のコンピュータ、ＣＰＵ又はＭＰＵ等は、取得したソフトウェア（プログラム）のプログラムコードを読み出して実行する。したがって、交換機１は、上述した各実施形態における交換機１の処理と同一の処理を実行する。
【０１０３】
本発明の第７の実施形態によれば、交換機１のコンピュータ、ＣＰＵ又はＭＰＵ等に実現するためのプログラムといった用途に適用できる。
【０１０４】
以上、本発明の実施形態を説明したが、本発明は、上記したそれぞれの実施形態に限定されるものではない。本発明は、各実施形態の変形・置換・調整に基づいて実施できる。また、本発明は、各実施形態を任意に組み合わせて実施することもできる。即ち、本発明は、本明細書の全ての開示内容、技術的思想に従って実現できる各種変形、修正を含む。
【０１０５】
上記の実施形態の一部又は全部は、以下の付記のようにも記載されうるが、以下には限られない。
［付記１］
通信端末が送信した所定の信号を、複数の基地局のうちの１つを介して受信する通信部と、
前記通信端末に着呼する場合に、前記複数の基地局のうち前記所定の信号に対応する特定の基地局に対して、前記通信端末宛のページング信号の送信を要求する制御部と、
を備えることを特徴とする交換機。
［付記２］
前記所定の信号に対応する特定の基地局は、前記複数の基地局のうち前記所定の信号を転送してきた基地局であることを特徴とする付記１に記載の交換機。
［付記３］
前記通信端末を一意に識別する通信端末識別子と、前記特定の基地局の基地局識別子とを対応付けて記憶する記憶部を、さらに備え、
前記制御部は、前記記憶部を参照して、前記特定の基地局に対して、前記通信端末宛のページング信号の送信を要求することを特徴とする付記１又は２に記載の交換機。
［付記４］
前記制御部は、前記所定の信号を転送してきた前記特定の基地局が変わるごとに、前記基地局識別子を更新することを特徴とする付記３に記載の交換機。
［付記５］
前記記憶部は、前記通信端末識別子と、前記基地局識別子と、前記所定の信号を前記特定の基地局が連続して転送してきた回数と、を対応付けて記憶し、
前記制御部は、前記特定の基地局から前記所定の信号を受信するごとに、前記回数を増加させることを特徴とする付記３又は４に記載の交換機。
［付記６］
前記制御部は、前記特定の基地局以外の基地局から前記所定の信号を受信したことに応じて、前記回数を１に設定することを特徴とする付記５に記載の交換機。
［付記７］
前記制御部は、前記所定の信号を前記特定の基地局が連続して転送してきた回数が所定の閾値以上である場合に、前記特定の基地局に対して、前記通信端末宛のページング信号の送信を要求することを特徴とする付記１乃至６のいずれかに記載の交換機。
［付記８］
前記制御部は、前記所定の信号を前記特定の基地局が連続して転送してきた回数が所定の閾値未満である場合に、前記複数の基地局に対して、前記通信端末宛のページング信号の送信を要求することを特徴とする付記１乃至７のいずれかに記載の交換機。
［付記９］
前記通信端末を一意に識別する通信端末識別子と、前記所定の信号を受信したポートのポート番号とを対応付けて記憶する記憶部を、さらに備え、
前記制御部は、前記記憶部を参照して、前記ポート番号のポートから、前記通信端末宛のページング信号の送信を要求するための信号を転送することを特徴とする付記１に記載の交換機。
［付記１０］
前記制御部は、前記所定の信号を受信したポートに基づいて、前記複数の基地局のうち前記所定の信号を転送してきた基地局を特定することを特徴とする付記１乃至９のいずれかに記載の交換機。
［付記１１］
前記制御部は、前記特定の基地局に対して、前記通信端末宛のページング信号を送信するセルを指定して、前記ページング信号の送信を要求することを特徴とする付記１乃至１０に記載の交換機。
［付記１２］
前記所定の信号は、通信端末が前記特定の基地局から前記ページング信号を受信することを要求するための信号であり、
前記所定の信号に対応する特定の基地局は、前記複数の基地局のうち前記通信端末が前記ページング信号を受信することを要求した前記特定の基地局である
ことを特徴とする付記１に記載の交換機。
［付記１３］
通信端末が送信する所定の信号を転送する複数の基地局と、
前記１乃至１２のいずれかに記載の交換機と、を含み、
前記複数の基地局のうちの前記特定の基地局は、前記交換機からの要求に応じて、前記通信端末に前記ページング信号を送信することを特徴とする通信システム。
［付記１４］
通信端末が送信した所定の信号を、複数の基地局のうちの１つを介して受信し、
前記通信端末に着呼する場合に、前記複数の基地局のうち前記所定の信号に対応する特定の基地局に対して、前記通信端末宛のページング信号の送信を要求する
ことを特徴とする通信方法。
［付記１５］
前記所定の信号に対応する特定の基地局は、前記複数の基地局のうち前記所定の信号を転送してきた基地局であることを特徴とする付記１４に記載の通信方法。
［付記１６］
前記通信端末を一意に識別する通信端末識別子と、前記特定の基地局の基地局識別子とを対応付けて記憶し、
記憶した前記通信端末識別子と、前記基地局識別子との対応付けを参照して、前記特定の基地局に対して、前記通信端末宛のページング信号の送信を要求する
ことを特徴とする付記１４又は１５に記載の通信方法。
［付記１７］
前記所定の信号を転送してきた前記特定の基地局が変わるごとに、前記基地局識別子を更新することを特徴とする付記１６に記載の通信方法。
［付記１８］
前記通信端末識別子と、前記基地局識別子と、前記所定の信号を前記特定の基地局が連続して転送してきた回数と、を対応付けて記憶し、
前記特定の基地局から前記所定の信号を受信するごとに、記憶した前記回数を増加させる
ことを特徴とする付記１６又は１７に記載の通信方法。
［付記１９］
前記特定の基地局以外の基地局から前記所定の信号を受信したことに応じて、前記回数を１に設定することを特徴とする付記１８に記載の通信方法。
［付記２０］
前記所定の信号を前記特定の基地局が連続して転送してきた回数が所定の閾値以上である場合に、前記特定の基地局に対して、前記通信端末宛のページング信号の送信を要求することを特徴とする付記１４乃至１９のいずれかに記載の通信方法。
［付記２１］
前記所定の信号を前記特定の基地局が連続して転送してきた回数が所定の閾値未満である場合に、前記複数の基地局に対して、前記通信端末宛のページング信号の送信を要求することを特徴とする付記１４乃至２０のいずれかに記載の通信方法。
［付記２２］
前記通信端末を一意に識別する通信端末識別子と、前記所定の信号を受信したポートのポート番号とを対応付けて記憶し、
記憶した前記ポート番号のポートから、前記通信端末宛のページング信号の送信を要求するための信号を転送する
ことを特徴とする付記１４に記載の通信方法。
［付記２３］
前記所定の信号を受信したポートに基づいて、前記複数の基地局のうち前記所定の信号を転送してきた基地局を特定することを特徴とする付記１４乃至２２のいずれかに記載の通信方法。
［付記２４］
前記特定の基地局に対して、前記通信端末宛のページング信号を送信するセルを指定して、前記ページング信号の送信を要求することを特徴とする付記１４乃至２３に記載の通信方法。
［付記２５］
前記所定の信号は、通信端末が前記特定の基地局から前記ページング信号を受信することを要求するための信号であり、
前記所定の信号に対応する特定の基地局は、前記複数の基地局のうち前記通信端末が前記ページング信号を受信することを要求した前記特定の基地局である
ことを特徴とする付記１４に記載の通信方法。
［付記２６］
通信端末が送信した所定の信号を、複数の基地局のうちの１つを介して受信する処理と、
前記通信端末に着呼する場合に、前記複数の基地局のうち前記所定の信号に対応する特定の基地局に対して、前記通信端末宛のページング信号の送信を要求する処理と
をコンピュータに実行させることを特徴とするプログラム。
［付記２７］
前記所定の信号に対応する特定の基地局は、前記複数の基地局のうち前記所定の信号を転送してきた基地局であることを特徴とする付記２６に記載のプログラム。
［付記２８］
前記通信端末を一意に識別する通信端末識別子と、前記特定の基地局の基地局識別子とを対応付けて記憶する処理と、
記憶した前記通信端末識別子と、前記基地局識別子との対応付けを参照して、前記特定の基地局に対して、前記通信端末宛のページング信号の送信を要求する処理と
を含むことを特徴とする付記２６又は２７に記載のプログラム。
［付記２９］
前記所定の信号を転送してきた前記特定の基地局が変わるごとに、前記基地局識別子を更新する処理を含むことを特徴とする付記２８に記載のプログラム。
［付記３０］
前記通信端末識別子と、前記基地局識別子と、前記所定の信号を前記特定の基地局が連続して転送してきた回数と、を対応付けて記憶する処理と、
前記特定の基地局から前記所定の信号を受信するごとに、記憶した前記回数を増加させる処理と
を含むことを特徴とする付記２８又は２９に記載のプログラム。
［付記３１］
前記特定の基地局以外の基地局から前記所定の信号を受信したことに応じて、前記回数を１に設定する処理を含むことを特徴とする付記３０に記載のプログラム。
［付記３２］
前記所定の信号を前記特定の基地局が連続して転送してきた回数が所定の閾値以上である場合に、前記特定の基地局に対して、前記通信端末宛のページング信号の送信を要求する処理を含むことを特徴とする付記２６乃至３１のいずれかに記載のプログラム。
［付記３３］
前記所定の信号を前記特定の基地局が連続して転送してきた回数が所定の閾値未満である場合に、前記複数の基地局に対して、前記通信端末宛のページング信号の送信を要求する処理を含むことを特徴とする付記２６乃至３２のいずれかに記載のプログラム。
［付記３４］
前記通信端末を一意に識別する通信端末識別子と、前記所定の信号を受信したポートのポート番号とを対応付けて記憶する処理と、
記憶した前記ポート番号のポートから、前記通信端末宛のページング信号の送信を要求するための信号を転送する処理と
を含むことを特徴とする付記２６に記載のプログラム。
［付記３５］
前記所定の信号を受信したポートに基づいて、前記複数の基地局のうち前記所定の信号を転送してきた基地局を特定する処理を含むことを特徴とする付記２６乃至３４のいずれかに記載のプログラム。
［付記３６］
前記特定の基地局に対して、前記通信端末宛のページング信号を送信するセルを指定して、前記ページング信号の送信を要求する処理を含むことを特徴とする付記２６乃至３５に記載のプログラム。
［付記３７］
前記所定の信号は、通信端末が前記特定の基地局から前記ページング信号を受信することを要求するための信号であり、
前記所定の信号に対応する特定の基地局は、前記複数の基地局のうち前記通信端末が前記ページング信号を受信することを要求した前記特定の基地局である
ことを特徴とする付記２６に記載のプログラム。
【符号の説明】
【０１０６】
１  通信装置
２、２−１、２−２、２−３、２−４、２−５、２−６、２−７、２−８、２−Ｎ  基地局
３  通信端末
４  ゲートウェイ装置
５  ページング通知管理サーバ
１１  通信部
１２  制御部
１３  ページング通知管理ＤＢ
【図１】
2015159476.tif 000003
【図２】
2015159476.tif 000004
【図３】
2015159476.tif 000005
【図４】
2015159476.tif 000006
【図５】
2015159476.tif 000007
【図６】
2015159476.tif 000008
【図７】
2015159476.tif 000009
【図８】
2015159476.tif 000010
【図９】
2015159476.tif 000011
【図１０】
2015159476.tif 000012
【図１１】
2015159476.tif 000013
【図１２】
2015159476.tif 000014
【図１３】
2015159476.tif 000015
【図１４】
2015159476.tif 000016
【図１５】
2015159476.tif 000017